(57)【要約】  スプリットスプロケット組立品は、シャフトを保持するための開口の一部を構成する第１側部と、第２側部とを有する２つのスプロケット本体部材（１、１Ａ）を備える。スプリットスプロケット組立品は、さらに、周囲に配置される多数のスプロケット歯（１０）を有する環状部（２、３、４、５）を備える。各環状部（２、３、４、５）は、スプロケット本体部材（１、１Ａ）の第２側部に係合可能である。スプロケット本体部材（１、１Ａ）は、シャフトに並設可能で、周囲に端と端を突き合わせる方式で、環状部（２、３、４、５）に連結することによって一体化されている。
2009523110.tif 000002
【特許請求の範囲】
【請求項１】
シャフトを保持するための開口（１１、１０６、３０６）の一部を形成する第１側面を有すると共に、第２側面を有する少なくとも２つのスプロケット本体部材（１、１Ａ、１０９、１１２、３０９、３１２）と、
周囲に配置される多数のスプロケットの歯（９、１０、１７０、１７３、３３４）を有し、少なくとも２つのスプロケット本体部材（１、１Ａ、１０９、１１２、３０９、３１２）の第２側面にそれぞれ係合可能である、少なくとも２つの環状部（２、３、４、５、１３３、１３６、１３９、１４２、３２１、３２４、３２７、３３０）と、を備え、
前記少なくとも２つのスプロケット本体部材（１、１Ａ、１０９、１１２、３０９、３１２）は、シャフトに並設され、周囲で端と端をつなぐ形式で、前記少なくとも２つの環状部（２、３、４、５、１３３、１３６、１３９、１４２、３２１、３２４、３２７、３３０）に連結することにより一体化可能であることを特徴とするスプリットスプロケット組立品。
【請求項２】
前記少なくとも２つのスプロケット本体部材（１、１Ａ、１０９、１１２、３０９、３１２）は、樹脂で形成したことを特徴とする請求項１に記載のスプリットスプロケット組立品。
【請求項３】
前記少なくとも２つの環状部（２、３、４、５、１３３、１３６、１３９、１４２、３２１、３２４、３２７、３３０）は、金属で形成したことを特徴とする請求項１又は２に記載のスプリットスプロケット組立品。
【請求項４】
少なくとも１つの凹部（２９）が、少なくとも２つのスプロケット本体部材（１、１Ａ、１０９、１１２、３０９、３１２）の１つと、少なくとも２つの環状部（２、３、４、５、１３３、１３６、１３９、１４２、３２１、３２４、３２７、３３０）に設けられていることを特徴とする請求項１から３のいずれか１項に記載のスプリットスプロケット組立品。
【請求項５】
前記凹部（２９）に係合するための、少なくとも１つの突出部が、少なくとも２つの環状部（２、３、４、５、１３３、１３６、１３９、１４２、３２１、３２４、３２７、３３０）と、少なくとも２つのスプロケット本体部材（１、１Ａ、１０９、１１２、３０９、３１２）とに設けられていることを特徴とする請求項４に記載のスプリットスプロケット組立品。
【請求項６】
さらに、前記少なくとも２つのスプロケット本体部材（１、１Ａ、１０９、１１２、３０９、３１２）から延びる多数の壁（２３、１３０、３１５）を備え、該壁（２３、１３０、３１５）を所定間隔で配設したことを特徴とする請求項１から５のいずれか１項に記載のスプリットスプロケット組立品。
【請求項７】
前記少なくとも２つの環状部（２、３、４、５、１３３、１３６、１３９、１４２、３２１、３２４、３２７、３３０）は、隣接壁（２５、１３０、３１５）の間にそれぞれ配設したことを特徴とする請求項６に記載のスプリットスプロケット組立品。
【請求項８】
前記少なくとも２つの環状部（２、３、４、５、１３３、１３６、１３９、１４２、３２１、３２４、３２７、３３０）は、第１側面から延びる多数のスプロケット歯（９、１０、１７０、１７３、３３４）を備えたことを特徴とする請求項１から７のいずれか１項に記載のスプリットスプロケット組立品。
【請求項９】
前記スプロケット歯（９、１０、１７０、１７３、３３４）は、少なくとも２つの環状部（２、３、４、５、１３３、１３６、１３９、１４２、３２１、３２４、３２７、３３０）の周囲に沿って延びていることを特徴とする請求項８に記載のスプリットスプロケット組立品。
【請求項１０】
シャフトを保持するために、少なくとも開口の一部を構成する第１側面に、少なくとも１つの第１壁（１４、１６、１９、１１８、１２１、１２４）を備えたハブ部（１５、１１５）と、第１側面とは反対側に配置されたハブ部（１５、１１５）の第２側面から延びる、少なくとも２つのスペーサ壁とを有する、少なくとも２つのスプロケット本体部材（１、１Ａ、１０９、１１２、３０９、３１２）と、
多数のスプロケット歯（９、１０、１７０、１７３、３３４）を有し、少なくとも２つのスペーサ壁（２５、１３０、３１５）の間にそれぞれ配置され、第１端部（２８、３１、４１、１５４、１５７、１６６）と、第１端部（２８、３１、４１、１５４、１５７、１６６）とは反対側に配置される第２端部（３４、３７、４３、１６０、１６３、１６８）を有する、少なくとも２つの環状部（２、３、４、５、１３３、１３６、１３９、１４２、３２１、３２４、３２７、３３０）と、を備え、
前記各環状部（２、３、４、５、１３３、１３６、１３９、１４２、３２１、３２４、３２７、３３０）の第１端部（２８、３１、４１、１５４、１５７、１６６）と第２端部（３４、３７、４３、１６０、１６３、１６８）は、少なくとも２つの環状部（２、３、４、５、１３３、１３６、１３９、１４２、３２１、３２４、３２７、３３０）が、少なくとも２つのスプロケット本体部材（１、１Ａ、１０９、１１２、３０９、３１２）を軸の周囲に保持するように、少なくとも２つのスプロケット本体部材（１、１Ａ、１０９、１１２、３０９、３１２）の１つに互いに対向して配置されて取付可能であることを特徴とするスプリットスプロケット組立品。
【請求項１１】
前記少なくとも２つのスプロケット本体部材（１、１Ａ、１０９、１１２、３０９、３１２）は樹脂材料からなることを特徴とする請求項１０に記載のスプリットスプロケット組立品。
【請求項１２】
前記少なくとも２つの環状部（２、３、４、５、１３３、１３６、１３９、１４２、３２１、３２４、３２７、３３０）は金属材料からなることを特徴とする請求項１０に記載のスプリットスプロケット組立品。
【請求項１３】
前記少なくとも２つの環状部（２、３、４、５、１３３、１３６、１３９、１４２、３２１、３２４、３２７、３３０）と、前記少なくとも２つのスプロケット本体部材（１、１Ａ、１０９、１１２、３０９、３１２）に、少なくとも１つの凹部（２９）を設けたことを特徴とする請求項１０から１２のいずれか１項に記載のスプリットスプロケット組立品。
【請求項１４】
前記凹部（２９）に係合するための突出部（６、１７６、３４２）を、少なくとも２つの環状部（２、３、４、５、１３３、１３６、１３９、１４２、３２１、３２４、３２７、３３０）と、前記少なくとも２つのスプロケット本体部材（１、１Ａ、１０９、１１２、３０９、３１２）に設けたことを特徴とする請求項１３に記載のスプリットスプロケット組立品。
【請求項１５】
前記多数のスプロケット歯（９、１０、１７０、１７３、３３４）は、少なくとも２つの環状部（２、３、４、５、１３３、１３６、１３９、１４２、３２１、３２４、３２７、３３０）の周囲に沿って延びていることを特徴とする請求項１０から１４のいずれか１項に記載のスプリットスプロケット組立品。
【請求項１６】
軸を保持するための開口の一部を構成する第１側面を有すると共に、そこから延びる多数の壁（２５、１３０、３１５）を備えた第２側面を有し、前記壁が溝（２２、１２７、３１８）を形成するように互いに略平行で、所定間隔を持って配設される少なくとも２つのスプロケット本体部材（１、１Ａ、１０９、１１２、３０９、３１２）と、
周囲に配置される多数のスプロケット歯（９、１０、１７０、１７３、３３４）を有し、第１端（２８、３１、４１、１５４、１５７、１６６）及び第２端（３４、３７、４３、１６０、１６３、１６８）を有し、少なくとも２つのスプロケット本体部材（１、１Ａ、１０９、１１２、３０９、３１２）の溝（２２、１２７、３１８）内に配置される少なくとも２つの環状部と、
少なくとも２つの環状部（２、３、４、５、１３３、１３６、１３９、１４２、３２１、３２４、３２７、３３０）と、少なくとも２つのスプロケット本体部材（１、１Ａ、１０９、１１２、３０９、３１２）の一方に設けた突出部（６、１７６、３４２）と、
少なくとも２つの環状部（２、３、４、５、１３３、１３６、１３９、１４２、３２１、３２４、３２７、３３０）と、少なくとも２つのスプロケット本体部材（１、１Ａ、１０９、１１２、３０９、３１２）の一方に設けた突出部（６、１７６、３４２）に係合可能な凹部（２９）と、を備え、
前記スプロケット本体部材（１、１Ａ、１０９、１１２、３０９、３１２）は、軸の周囲に並設して、端と端をつなぐ様式で、少なくとも２つの環状部（２、３、４、５、１３３、１３６、１３９、１４２、３２１、３２４、３２７、３３０）に連結することにより位置決めすることが可能であることを特徴とするスプリットスプロケット組立品。
【請求項１７】
前記環状部（２、３、４、５、１３３、１３６、１３９、１４２、３２１、３２４、３２７、３３０）と、前記壁（２５、１３０、３１５）は、さらに、スプロケット本体部材（１、１Ａ、１０９、１１２、３０９、３１２）と環状部（２、３、４、５、１３３、１３６、１３９、１４２、３２１、３２４、３２７、３３０）を同一直線上に維持するためにピン（７、１４８、１８０、３５０、３６０）を保持する、同一直線上の開口（４０、１４５、１５１）を備えたことを特徴とする請求項１６に記載のスプリットスプロケット組立品。
【発明の詳細な説明】
【技術分野】
【０００１】
本発明は、モジュール式搬送装置、特に、スプリットスプロケット組立品に関する。
【背景技術】
【０００２】
腐食せず、軽量で、清掃容易であるには、金属製の搬送ベルトは好ましくなく、一般に樹脂製の搬送ベルトが、特に、食物を搬送するのに使用されている。モジュール式の樹脂製の搬送ベルトは成形樹脂製のモジュール式リンク、又は、ベルトモジュールからなり、選択可能な列幅で並設されている。モジュールの各縁から延びる一連の所定間隔で配置された部分的な連結端は回転ロッドに合わせて傾斜した開口を備える。モジュール列の一端に沿った連結端は、隣接する列の連結端に連結されている。モジュールに隣接して連結された傾斜開口に支持される回転ロッドは、隣接する列の間にヒンジを形成する。ベルトモジュールの列は、駆動スプロケットの周囲に連接可能な無端搬送ベルトを形成するように互いに連結されている。
【０００３】
モジュールベルトを駆動するために使用される殆どのスプロケットは、成形又は機械加工された樹脂材料から製造される。非常に大きな摩擦が作用する状況下であれば、樹脂製のスプロケットの歯は、ごく短時間で摩耗するようになる。また、少なくとも一部がスチール等の金属で形成されるスプロケットを使用することが公知である。幾つかの例が、米国特許第5,074,406号公報及び米国特許第5,279,526号公報に記載されている。
【０００４】
便宜上、軸の端部を滑らせる代わりに、軸の周囲に取り付けることのできるスプリットスプロケットを設け、時間はかかるが、駆動システムを分解できることも公知である。
【０００５】
また、必要なのは、長期に亘って装着するために、歯が挿入されるスプリットスプロケットのデザインを改良することである。
【０００６】
【特許文献１】米国特許第5,074,406号明細書
【特許文献２】米国特許第5,279,526号明細書
【発明の開示】
【課題を解決するための手段】
【０００７】
本発明は、独立項である請求項１、１０及び１６に係るスプリットスプロケット組立品を提供することにより、上述の要求に応えている。
【０００８】
特に、本発明は、歯を挿入されたスプリットスプロケットを提供することにより、上述の要求に応えている。
【図面の簡単な説明】
【０００９】
【図１】本発明に係るスプリットスプロケット組立品の分解斜視図である。
【図２】図１のスプリットスプロケット組立品の２つの半部を所定間隔で配置した斜視図である。
【図３】図１のスプリットスプロケット組立品の組立位置での斜視図である。
【図４】図１のスプリットスプロケット組立品の側面図である。
【図５】図４の５−５線断面図である。
【図６】図４の６−６線断面図である。
【図７】図４の７−７線断面図である。
【図８】本発明の他の実施形態に係る分解斜視図である。
【図９】ハブを連結され、歯を挿入された分解図を示す他の実施形態に係る斜視図である。
【図１０】組立位置での他の実施形態の斜視図である。
【図１１】他の実施形態の側面図である。
【図１２】図１１の１２−１２線断面図である。
【図１３】本発明のさらに他の実施形態の分解斜視図である。
【図１４】ハブを連結され、歯を挿入された分解図を示す図１３の他の実施形態の斜視図である。
【図１５】組立位置での図１３の他の実施形態の斜視図である。
【図１６】図１３の他の実施形態の側面図である。
【図１７】図１７の１７−１７線断面図である。
【符号の説明】
【００１０】
１、１Ａ…スプロケット本体部材
２、３、４、５…環状部
６…カム
７…ピン
８、８ａ…各取付ネジ
９、１０、１７０、１７３、３３４…スプロケット歯
１２、１３…スプロケットの半部
１５…中心ハブ部
２５、１３０、３１５…隣接壁
１００、１０３…スプロケットの半部
１０９、１１２…スプロケット本体部材
１１５…中心ハブ部
１３３、１３６、１３９、１４２…環状部
１４８…固定具
１５１…開口
１７０、１７３…スプロケット歯
１７６…突出部
３００、３０３…スプロケットの半部
３０９、３１２…スプロケット本体部材
３１５…調整プレート
３２１、３２４、３２７、３３０…環状部
３４２…突出部
３５０、３６０…固定具
【発明を実施するための最良の形態】
【００１１】
まず、図１及び図２において、本発明のスプリットスプロケット組立品の第１実施形態は、一対のスプロケットの半部１２及び１３（図２）を備える。スプロケットの半部１２及び１３は、重量を抑えるために、樹脂で構成するのが好ましい。スプロケットの半部１２、１３のそれぞれは、組み立てられたスプロケットの約半分に形成されている。図３に示すように、２つのスプロケットの半部１２、１３が連結されるとき、それらはシャフト（図示せず）にスプロケット組立品を装着するための中心開口１１を形成する。図示のように、開口１１は、四角形のシャフトを保持するために略四角形に形成されている。当業者にとって自明な他の形状であってもよい。
【００１２】
図１において、２つの樹脂製のスプロケット本体部材１と１Ａは、後方壁１４と、対向する一対の側壁１６及び１９とを備えた中心ハブ部１５を有する。側壁１６及び１９は、所定間隔で配設され、後方壁１４と側壁１６及び１９は、スプリットスプロケットの組立時、シャフト（図示せず）用の開口１１を形成する。スプロケット本体部材１の周囲には、中心ハブ部１５から外方に延びるプレート２５によって形成された溝２２が設けられている。示された例では、中心ハブ部１５に対してほぼ垂直に外方へと延びる３つのプレート２５からなる。この結果、平行な溝２２が形成される。各溝２２は、環状部２、３、４及び５を保持する。耐摩耗性の環状部２、３、４及び５は、スチール等の金属を含む耐摩耗材料で構成すればよい。用途に応じて、材料は軟鋼やステンレス鋼で構成すればよい。チタニウム等の樹脂よりも硬い他の材料を使用することもできる。耐摩耗性材料は金属には限定されず、樹脂に比べて優れた耐摩擦性を有する他の非金属材料を含めても構わない。
【００１３】
各環状部２、３、４及び５は、歯を備えたハブから駆動トルクを伝達するため、スプロケット本体部材１、１Ａに、対応する凹部２９（最も良く図４に示されている）に係合するカム又は突出部６を備える。
【００１４】
図２では、２つのスプロケット本体部材１、１Ａは、その開口４０を介して挿入される位置決めピン７によって環状部２、３、４及び５と一体化されている。開口が連通されれば、位置決めピンの挿入により、組立品の全ての部品が位置決めされる。スプロケット本体部材１及び１Ａは、取付ネジ８及び８ａによって取り外し可能に連結される。取付ネジ８及び８ａは、環状部２、３、４、５を保持する。図に示すように、環状部２及び３は、環状部２の一端２８が、対応する環状部３（図１に最も良く示されている）の端部３１を超えて延びるように、部分的に重なり合った状態で配置されている。環状部３の反対側の端部では、第２端３４が環状部２の第２端３７を超えて延びている。図に示すように、反対側では、環状部４及び５が、環状部２の端部２８を環状部５の端部４１に取り付けることができるように、同様な方法で配設されている。同様に、環状部３の端部３４は、環状部４の端部４３に連結されている。重なり合わせることにより、環状部２、３、４、５の開口４６、４７を連通させることにより取付ネジ８及び８ａを保持することが可能となっている。開口４６、４７の一方は貫通し、他方の開口はより大きくて、スプロケットの半部１２、１３がナット等の追加のハードウェアを全く必要とすることなく、取付ネジ８によって連結することができるようになっている。
【００１５】
スプロケット本体部材１、１Ａは、ネジ８及び８ａを挿入するための間隙を設けた湾曲開口４９を有する。また、湾曲開口４９は、取付ネジ８、８ａを、スプロケット本体部材１の適切な方からのみ挿入可能とするような配置機能を提供する。上述のように、スプロケット本体部材１及び１Ａは樹脂からなるので、取付ネジ８及び８ａを、スプロケット本体部材１及び１Ａよりも耐摩耗性のある環状部２、３、４及び５に係合させるのに有利である。環状部２、３、４及び５とスプロケット本体部材１との間の力は、それらが摩擦を発生させる樹脂製のスプロケット本体部材１内に配設されていれば、ボルト穴の開口へと伝達される。樹脂製の本体を超えて力を作用させ、取付ネジ８、８ａを耐摩耗性のある部品にのみ連結することにより、スプリットスプロケット組立品の耐久性は増大する。
【００１６】
図２及び図３に示すように、各環状部２、３、４及び５は、その周囲に配置される多数のスプロケットの歯９、１０を有する。スプロケットの歯９、１０は、スプロケットの周囲に配置された１０個の側面それぞれに２つ１組で設けられている。図３に示すように、スプロケットの半部の組立時、スプリットスプロケット組立品が、その周囲の多数の同じ表面を有する多角形を構成するようにしてもよい。また、当業者にとって明らかなように、他の形状であってもよい。歯９、１０は、湾曲端５０と傾斜壁５３をそれぞれ形成されている。歯９、１０は、当業者にとって明らかなように、個々のベルトモジュールの端部のいずれか、あるいは、ベルトモジュールの下方側に配置される中心リブに係合することによりモジュール式ベルトを駆動するように形成されている。歯９、１０の湾曲端５０は、通常、個々のベルトモジュールの端部に、その位置で係合し、傾斜壁５３は、中心リブに、その中心位置で係合するようにしてもよい。
【００１７】
図３及び図４には、組み立てられたスプロケットが示されている。スプリットスプロケット組立品をある角度で取り付けるために、スプロケット本体部材１、１Ａ及び対応する環状部２、３、４及び５は、開口４０を連通させ、位置決めピン７を挿入することにより一体化される。そして、２つの予め組み立てられたスプロケットの半部１２、１３は、シャフト（図示せず）を覆い、突出環状部（図２に最も良く示されている）が対応する溝内へとスライドし、適切に組み立てられるように一緒に押圧される。
【００１８】
スプロケットの半部１２、１３は、各取付ネジ８、８ａが１つの環状部の開口４６を貫通し、対応する環状部の貫通孔４７に螺合することにより、強固に固定される。環状部２、３、４、５の底面縁６０が図４に波線で示されている。図４に示すように、カム６は、スプロケット本体部材１、１Ａから環状部の歯９、１０にトルクを伝達するために、凹部２９に係合する。
【００１９】
図５では、中心ハブ部１５が詳細に示されている。中心ハブ部１５は、スプロケットの幅方向に延び、シャフト（図示せず）のための中心孔１１を形成する壁１４を有する。シャフトとは反対側では、壁７０は、図５の方向に対して垂直に配置され、壁１４から外側に延びている。壁７３は、環状部２、３、４、５を保持するための溝２２を形成するプレート２５を支持する。図示した例では、３つのプレート２５によって２つの溝２２が形成されている。当業者にとって明らかなように、他の数のプレート２５が異なる数の溝２２を形成するのに使用可能である。図５の方向に対して、スプロケットの下方部は同様に形成されている。この例により、２列の歯を有するスプロケットが提供される。環状部２、３は図の上部に示され、環状部４、５は図の下部に示されている。環状部２、３、４、５のカム６も又図５に示されている。
【００２０】
図６では、環状部２、３が、カム６を超えた、スプロケット組立品の周囲の位置に示されている。また、環状部２、３は、カム６を備えず、図に示す歯９を支持するのに十分な厚さが必要とされるだけである。
【００２１】
図７では、２つのスプロケットの半部１２、１３の連結が詳細に示されている。図の左側では、取付ネジ８ａが環状部２の開口４６を介して延び、環状部５に配置された貫通孔４７に螺合している。また、取付ネジ８ａは、樹脂部品のいずれにも係合しておらず、トルクは摩擦を削減する樹脂の大きな表面領域を横切って伝達される。
【００２２】
図１の右側では、位置決めピン７がスプロケット本体部材１Ａと環状部４、５の開口を介して延びている状態が示されている。位置決めピン７は、部品がシャフトの周囲に配置され、スプロケットの半部１２に連結される前に一体化されるように、スプロケットの半部１３を予め組み立てるために設けられている。
【００２３】
図８及び図９には、本発明のスプリットスプロケット組立品の他の実施形態が示されている。他の実施形態は、一対のスプロケットの半部１００及び１０３を備える。スプロケットの半部１００及び１０３は、軽量化のために、主に樹脂材料で形成するのが好ましい。図９に示すように、２つのスプロケットの半部１００、１０３が連結されると、それらはシャフト（図示せず）にスプロケット組立品を実装するための中心孔１０６を形成する。図示するように、開口１０６は、四角形のシャフトを保持するために略四角形に形成されている。当業者にとって明らかなように、他の形状であってもよい。
【００２４】
図８において、２つのスプロケット本体部材１０９、１１２は、後方壁１１８及び対向する一対の側壁１２１及び１２４を備えた中心ハブ部１１５を有する。側壁１２１及び１２４は、所定間隔離れて配置されている。スプリットスプロケットが組み立てられるとき、後方壁１１８と、側壁１２１及び１２４とによってシャフトのための開口が形成される（図９）。スプロケット本体部材１０９の周囲には、中心ハブ部１１５から外側に延びるプレート１３０によって形成された溝１２７が設けられている。図示した例では、中心ハブ部１１５に対してほぼ直角に外側に延びる３つのプレートを備える。この結果、溝１２７は互いに平行に形成される。各溝１２７は、環状部１３３、１３６、１３９及び１４２を保持する。耐摩耗性の環状部１３３、１３６、１３９及び１４２は、スチール等の金属を含む耐摩耗性材料で構成されている。本願では、材料は軟鋼又はステンレス鋼で構成されている。チタニウム等の樹脂よりも硬い他の材料を使用してもよい。耐摩耗性材料は金属には限定されず、樹脂よりも耐摩耗性に優れた特性を有する他の非金属材料であってもよい。
【００２５】
中心ハブ部１１５は、切削して部品を２つの部位に切断することにより製造できる。各環状部１３３、１３６、１３９及び１４２は、ネジ等の固定具１４８のための開口１４５を備える。固定具１４８は、駆動トルクをハブから環状部に伝達する。
【００２６】
スプロケット本体部材１０９、１１２は、開口１５１を介してスプロケット本体部材１０９、１１２と環状部１３３、１３６、１３９及び１４２に挿入される固定具１４８によって環状部１３３、１３６、１３９及び１４２を整列させる。開口が連通すれば、固定具１４８を挿入することにより、組立品の全部品が位置を固定される。
【００２７】
スプロケット本体部材１０９、１１２は、固定具１４８によって取り外し可能に取り付けられる。固定具１４８は、環状部１３３、１３６、１３９及び１４２の端部を保持する。図示のように、環状部１３３及び１３６は、環状部１３３の一端１５４が環状部１３６の他端を超えて延びるように互いに重なり合った状態で配置されている。環状部１３６の他端には、第２端１６０が環状部１３３の第２端１６３を超えて延びている。図９の他の側面に示すように、環状部１３９、１４２は、部位１３３の一端１５４が環状部１４２の一端１６６に取り付けることができるように、同様な方法で配設されている。同様に、環状部１３６の第２端１６０は環状部１３９の一端１６８に連結されている。
【００２８】
互いに重なり合って配置されることにより、環状部の開口と、スプロケット本体部材１０９、１１２の開口を連通することが可能となる。固定具１４８は環状部１３３、１３６、１３９及び１４２をスプロケット本体部材１０９、１１２に固定するために、開口に設けられる。固定具１４８は、ナットによって固定してもよく、又、開口の幾つかはナットを不要とするためにねじ山を形成することも可能である。
【００２９】
図８及び図９に示すように、各環状部１３３、１３６、１３９及び１４２は、その周囲に配置される多数のスプロケットの歯１７０、１７３を有する。歯１７０、１７３は、上述の歯９、１０と同様に形成されている。スプロケットの歯１７０、１７３は、最も良く図１１に示されるように、２つ一組で配置されている。
【００３０】
図９に示すように、環状部１３３、１３６、１３９及び１４２は、スプロケット本体部材１０９、１１２の対応する凹部（図示せず）に係合する突出部１７６を備える。
【００３１】
図１０〜図１２には、組み立てられたスプロケットが図示されている。駆動軸にスプリットスプロケットを組み付けるために、スプロケット本体部材１０９、１１２及びこれに対応する環状部１３３、１３６、１３９及び１４２は、開口を連通させて配置し、スプロケットの反対側に配置された固定具を挿入することにより互いに固定され、２つのスプロケットの半部が予め組み立てられる。そして、２つの予め組み立てられたスプロケットの半部は、シャフト（図示せず）を超えて配置され、突出した環状部を対応する溝へとスライドさせ、適切に係合して組み立てられるように、互いに押圧される。
【００３２】
スプロケットの半部は、スプロケット本体部材の対応する開口と両環状部を貫通する各取付ネジのような固定具１４８によって強固に固定される。突出部１７６（図９）は、スプロケット本体部材から環状部の歯に向かって、スプロケット本体部材の凹部に係合される。
【００３３】
図１２には、中心ハブ部がより詳細に示されている。中心ハブ部１１５は、スプロケットの幅を横切って延び、シャフト（図示せず）のための中心孔１０６を形成する壁１１７を有する。壁１７８は、図１２の方向に対して垂直に配置され、開口１０６から離れるように延びている。壁１７８は、壁１７７とほぼ平行に延びる壁１７９へと延びている。壁１７９は、環状部１３３、１３６、１３９、１４２を保持するために、溝１２７を形成するプレート１３０を支持する。当業者にとって明らかなように、異なる数の溝を形成するために他の数のプレートを使用するようにしてもよい。図１２の方向に関して、スプロケットの下方部は同様な方法で形成される。この例では、２列の歯を有するスプロケットが設けられている。環状部１３３、１３６は図の上部に示され、環状部１３９、１４２は図の下部に示されている。
【００３４】
図１３から図１７には、他の第２実施形態に係るスプロケット組立品が示されている。スプリットスプロケット組立品は、一対のスプロケットの半部３００及び３０３を備える。スプロケットの半部３００、３０３は、スプロケット本体部材３０９及び３１２によって形成されている。図１４に示すように、スプロケット本体部材３０９及び３１２は、シャフト（図示せず）にスプロケット組立品を装着するための開口３０６を形成すべく連結されている。スプロケット本体部材３０９、３１２は、そこから延びるプレート３１５を有する。調整プレート３１５は、環状部３２１、３２４、３２７及び３３０を保持するための溝３１８を形成する。環状部３２１、３２４、３２７、３３０は、第２実施形態について上述したように配置されている。前記実施形態とは対照的に、環状部は、多数の個別のプレート３３１から形成されている。図示された例では、各環状部のための３つのプレートが設けられている。プレートは他の数であってもよい。プレートは、第１縁３４０に形成された歯３３４と、第２縁３４３に形成された少なくとも１つの突出部３４２とを形成するために連結されている。スプリットスプロケット組立品をシャフトに組み付けるため、スプロケット本体部材３０９、３１２及びこれに対応する環状部３２１、３２４、３２７及び３３０は、開口を連通させて取付ネジやナット等の固定具３５０を挿入することにより互いに固定される。そして、２つの予め組み立てられたスプロケットの半部は、シャフト（図示せず）を超えて配置され、突出した環状部が対応する溝内へとスライドし、嵌合して組み立てられるように互いに押圧される。スプロケットの半部３００、３０３は、対応する開口を貫通する固定具３６０によって強固に固定される。突出部３４２は、スプロケット本体部材３０９から環状部３２１、３２４、３２７及び３３０の歯３３４にトルクを伝達させるのを補助するために、スプロケット本体３０９の対応する凹部に係合するように設ければよい。
【００３５】
本発明は、一定の実施形態について記載したが、記載された特定の形状に本発明の範囲を限定することを意図するものではなく、逆に、添付された特許請求の範囲によって限定される発明の範囲内に含まれる変形、改良及び同等なものを包括することを意図するものである。
【図１】
2009523110.tif 000003
【図２】
2009523110.tif 000004
【図３】
2009523110.tif 000005
【図４】
2009523110.tif 000006
【図５】
2009523110.tif 000007
【図６】
2009523110.tif 000008
【図７】
2009523110.tif 000009
【図８】
2009523110.tif 000010
【図９】
2009523110.tif 000011
【図１０】
2009523110.tif 000012
【図１１】
2009523110.tif 000013
【図１２】
2009523110.tif 000014
【図１３】
2009523110.tif 000015
【図１４】
2009523110.tif 000016
【図１５】
2009523110.tif 000017
【図１６】
2009523110.tif 000018
【図１７】
2009523110.tif 000019
【手続補正書】
【提出日】平成19年8月7日(2007.8.7)
【手続補正１】
【補正対象書類名】特許請求の範囲
【補正対象項目名】全文
【補正方法】変更
【補正の内容】
【特許請求の範囲】
【請求項１】
シャフトを保持するための開口（１１、１０６、３０６）の一部を形成する第１側面を有すると共に、第２側面を有する少なくとも２つのスプロケット本体部材（１、１Ａ、１０９、１１２、３０９、３１２）と、
周囲に配置される多数のスプロケットの歯（９、１０、１７０、１７３、３３４）を有し、少なくとも２つのスプロケット本体部材（１、１Ａ、１０９、１１２、３０９、３１２）の第２側面にそれぞれ係合可能である、少なくとも２つの環状部（２、３、４、５、１３３、１３６、１３９、１４２、３２１、３２４、３２７、３３０）と、を備え、
前記少なくとも２つのスプロケット本体部材（１、１Ａ、１０９、１１２、３０９、３１２）は、シャフトに並設され、周囲で端と端をつなぐ形式で、前記少なくとも２つの環状部（２、３、４、５、１３３、１３６、１３９、１４２、３２１、３２４、３２７、３３０）に連結することにより一体化可能であり、
多数の壁（２５、１３０、３１５）が少なくとも２つのスプロケット本体部材（１、１Ａ、１０９、１１２、３０９、３１２）から延び、前記壁（２５、１３０、３１５）は所定間隔で配置され、前記少なくとも２つの環状部（２，３，４，５、１３３、１３６、１３９、１４２、３２１、３２４、３２７、３３０）は、隣接する壁（２５、１３０、３１５）の間にそれぞれ配置されていることを特徴とするスプリットスプロケット組立品。
【請求項２】
シャフトを保持するための開口（１１、１０６、３０６）の一部を構成する第１側面を有すると共に、第２側面を有する少なくとも２つのスプロケット本体部材（１、１Ａ、１０９、１１２、３０９、３１２）と、
周囲に配置される多数のスプロケット歯（９、１０、１７０、１７３、３３４）を有し、少なくとも２つのスプロケット本体部材（１、１Ａ、１０９、１１２、３０９、３１２）の第２側面に係合可能で、第１端部（２８、３１、４１、１５４、１５７、１６６）と、この第１端部（２８、３１、４１、１５４、１５７、１６６）に対向して配置された第２端部（３４、３７、４３、１６０、１６３、１６８）とを有する、少なくとも２つの環状部（２、３、４、５、１３３、１３６、１３９、１４２、３２１、３２４、３２７、３３０）と、を備え、
前記少なくとも２つのスプロケット本体部材（１、１Ａ、１０９、１１２、３０９、３１２）は、シャフトに並設可能で、端と端を連結して少なくとも２つの環状部（２、３、４、５、１３３，１３６、１３９、１４２、３２１、３２４、３２７、３３０）に連結することによって一体化され、
前記環状部（２、３、４、５、１３３，１３６、１３９、１４２、３２１、３２４、３２７、３３０）の各第１端部（２８、３１、４１、１５４、１５７、１６６）と、各第２端部（３４、３７、４３、１６０、１６３、１６８）とは、少なくとも２つのスプロケット本体部材（１、１Ａ、１０９、１１２、３０９、３１２）の１つに面接触するように配置された環状部（２、３、４、５、１３３，１３６、１３９、１４２、３２１、３２４、３２７、３３０）の各第１端部（２８、３１、４１、１５４、１５７、１６６）と、各第２端部（３４、３７、４３、１６０、１６３、１６８）に連結可能であることを特徴とするスプリットスプロケット組立品。
【請求項３】
さらに、前記少なくとも２つのスプロケット本体部材（１、１A、１０９、１１２、３０９、３１２）から延びる多数の壁（２５、１３０、３１５）を備え、この壁（２５、１３０、３１５）は、所定間隔で配置され、前記少なくとも２つの環状部（２、３、４、５、１３３、１３６、１３９、１４２、３２１、３２４、３２７、３３０）は隣接する壁（２５、１３０、３１５）の間にそれぞれ配設されていることを特徴とする請求項２に記載のスプリットスプロケット組立品。
【請求項４】
前記少なくとも２つのスプロケット本体部材（１、１Ａ、１０９、１１２、３０９、３１２）は、樹脂材料で構成されていることを特徴とする請求項１から３のいずれか１項に記載のスプリットスプロケット組立品。
【請求項５】
前記少なくとも２つの環状部（２、３、４、５、１３３、１３６、１３９、１４２、３２１、３２４、３２７、３３０）は、金属材料で構成されていることを特徴とする請求項１から４のいずれか１項に記載のスプリットスプロケット組立品。
【請求項６】
前記少なくとも２つのスプロケット本体部材（１、１Ａ、１０９、１１２、３０９、３１２）と、前記少なくとも２つの環状部（２、３、４、５、１３３、１３６、１３９、１４２、３２１、３２４、３２７、３３０）のいずれか一方には、少なくとも１つの凹部（２９）が設けられていることを特徴とする請求項１から５のいずれか１項に記載のスプリットスプロケット組立品。
【請求項７】
前記少なくとも２つのスプロケット本体部材（１、１Ａ、１０９、１１２、３０９、３１２）と、前記少なくとも２つの環状部（２、３、４、５、１３３、１３６、１３９、１４２、３２１、３２４、３２７、３３０）のいずれか一方には、前記凹部に係合する、少なくとも１つの突出部（５、１７６、３４２）が設けられていることを特徴とする請求項６に記載のスプリットスプロケット組立品。
【請求項８】
前記少なくとも２つの環状部（２、３、４、５、１３３、１３６、１３９、１４２、３２１、３２４、３２７、３３０）は、第１側面から延びる多数のスプロケット歯（９、１０、１７０、１７３、３３４）を備えたことを特徴とする請求項１から７のいずれか１項に記載のスプリットスプロケット組立品。
【請求項９】
前記スプロケット歯（９、１０、１７０、１７３、３３４）は、少なくとも２つの環状部（２、３、４、５、１３３、１３６、１３９、１４２、３２１、３２４、３２７、３３０）の周囲に沿って延びていることを特徴とする請求項８に記載のスプリットスプロケット組立品。
【請求項１０】
シャフトを保持するために、少なくとも開口の一部を構成する第１側面に、少なくとも１つの第１壁（１４、１６、１９、１１８、１２１、１２４）を備えたハブ部（１５、１１５）と、第１側面とは反対側に配置されたハブ部（１５、１１５）の第２側面から延びる、少なくとも２つのスペーサ壁とを有する、少なくとも２つのスプロケット本体部材（１、１Ａ、１０９、１１２、３０９、３１２）と、
多数のスプロケット歯（９、１０、１７０、１７３、３３４）を有し、少なくとも２つのスペーサ壁（２５、１３０、３１５）の間にそれぞれ配置され、第１端部（２８、３１、４１、１５４、１５７、１６６）と、第１端部（２８、３１、４１、１５４、１５７、１６６）とは反対側に配置される第２端部（３４、３７、４３、１６０、１６３、１６８）を有する、少なくとも２つの環状部（２、３、４、５、１３３、１３６、１３９、１４２、３２１、３２４、３２７、３３０）と、を備え、
前記各環状部（２、３、４、５、１３３、１３６、１３９、１４２、３２１、３２４、３２７、３３０）の第１端部（２８、３１、４１、１５４、１５７、１６６）と第２端部（３４、３７、４３、１６０、１６３、１６８）は、少なくとも２つの環状部（２、３、４、５、１３３、１３６、１３９、１４２、３２１、３２４、３２７、３３０）が、少なくとも２つのスプロケット本体部材（１、１Ａ、１０９、１１２、３０９、３１２）を軸の周囲に保持するように、少なくとも２つのスプロケット本体部材（１、１Ａ、１０９、１１２、３０９、３１２）の１つに互いに対向して配置されて取付可能であることを特徴とするスプリットスプロケット組立品。
【請求項１１】
前記少なくとも２つのスプロケット本体部材（１、１Ａ、１０９、１１２、３０９、３１２）は樹脂材料からなることを特徴とする請求項１０に記載のスプリットスプロケット組立品。
【請求項１２】
前記少なくとも２つの環状部（２、３、４、５、１３３、１３６、１３９、１４２、３２１、３２４、３２７、３３０）は金属材料からなることを特徴とする請求項１０に記載のスプリットスプロケット組立品。
【請求項１３】
前記少なくとも２つの環状部（２、３、４、５、１３３、１３６、１３９、１４２、３２１、３２４、３２７、３３０）と、前記少なくとも２つのスプロケット本体部材（１、１Ａ、１０９、１１２、３０９、３１２）に、少なくとも１つの凹部（２９）を設けたことを特徴とする請求項１０から１２のいずれか１項に記載のスプリットスプロケット組立品。
【請求項１４】
前記凹部（２９）に係合するための突出部（６、１７６、３４２）を、少なくとも２つの環状部（２、３、４、５、１３３、１３６、１３９、１４２、３２１、３２４、３２７、３３０）と、前記少なくとも２つのスプロケット本体部材（１、１Ａ、１０９、１１２、３０９、３１２）に設けたことを特徴とする請求項１３に記載のスプリットスプロケット組立品。
【請求項１５】
前記多数のスプロケット歯（９、１０、１７０、１７３、３３４）は、少なくとも２つの環状部（２、３、４、５、１３３、１３６、１３９、１４２、３２１、３２４、３２７、３３０）の周囲に沿って延びていることを特徴とする請求項１０から１４のいずれか１項に記載のスプリットスプロケット組立品。
【請求項１６】
軸を保持するための開口の一部を構成する第１側面を有すると共に、そこから延びる多数の壁（２５、１３０、３１５）を備えた第２側面を有し、前記壁が溝（２２、１２７、３１８）を形成するように互いに略平行で、所定間隔を持って配設される少なくとも２つのスプロケット本体部材（１、１Ａ、１０９、１１２、３０９、３１２）と、
周囲に配置される多数のスプロケット歯（９、１０、１７０、１７３、３３４）を有し、第１端（２８、３１、４１、１５４、１５７、１６６）及び第２端（３４、３７、４３、１６０、１６３、１６８）を有し、少なくとも２つのスプロケット本体部材（１、１Ａ、１０９、１１２、３０９、３１２）の溝（２２、１２７、３１８）内に配置される少なくとも２つの環状部と、
少なくとも２つの環状部（２、３、４、５、１３３、１３６、１３９、１４２、３２１、３２４、３２７、３３０）と、少なくとも２つのスプロケット本体部材（１、１Ａ、１０９、１１２、３０９、３１２）の一方に設けた突出部（６、１７６、３４２）と、
少なくとも２つの環状部（２、３、４、５、１３３、１３６、１３９、１４２、３２１、３２４、３２７、３３０）と、少なくとも２つのスプロケット本体部材（１、１Ａ、１０９、１１２、３０９、３１２）の一方に設けた突出部（６、１７６、３４２）に係合可能な凹部（２９）と、を備え、
前記スプロケット本体部材（１、１Ａ、１０９、１１２、３０９、３１２）は、軸の周囲に並設して、端と端をつなぐ様式で、少なくとも２つの環状部（２、３、４、５、１３３、１３６、１３９、１４２、３２１、３２４、３２７、３３０）に連結することにより位置決めすることが可能であることを特徴とするスプリットスプロケット組立品。
【請求項１７】
前記環状部（２、３、４、５、１３３、１３６、１３９、１４２、３２１、３２４、３２７、３３０）と、前記壁（２５、１３０、３１５）は、さらに、スプロケット本体部材（１、１Ａ、１０９、１１２、３０９、３１２）と環状部（２、３、４、５、１３３、１３６、１３９、１４２、３２１、３２４、３２７、３３０）を同一直線上に維持するためにピン（７、１４８、１８０、３５０、３６０）を保持する、同一直線上の開口（４０、１４５、１５１）を備えたことを特徴とする請求項１６に記載のスプリットスプロケット組立品。
【手続補正２】
【補正対象書類名】明細書
【補正対象項目名】０００７
【補正方法】変更
【補正の内容】
【０００７】
本発明は、独立項である請求項１、２、１０及び１６に係るスプリットスプロケット組立品を提供することにより、上述の要求に応えている。好ましい実施形態は、独立項で範囲が明確にされている。
【国際調査報告】
2009523110.tif 000020
2009523110.tif 000021